(57)【要約】【課題】クリップ２およびバネ１の取付が非常に簡単に行えるとともに、クリップ２の後端部２Ｉを押圧すればクリップ２の前端が大きく拡開する筆記具のクリップ取付装置を提供する。【解決手段】クリップ２の足部２Ｂに形成した凹部２Ｃを軸筒３の隆起部３Ａに押し付け、バネ１の脚部１Ａ、１Ｂをクリップ２の開口窓２Ｅ、２Ｆより挿入する。このバネ１の後側の脚部１Ｂに形成した突部１Ｃが軸筒３の隆起部３Ａに形成した凹部３Ｃに係合するとともに、バネ１の前側の脚部１Ａがクリップ２の山部２Ｄに押圧されて取り付けられる。このバネ１の弾力によりクリップ２の山部２Ｄが押されることによってクリップ２の前部が下方に押されて受部２Ａが軸筒３に押圧される。【選択図】        図１
2006224572.tif 000002
【特許請求の範囲】
【請求項１】
略コ字形に折り曲げて前後に脚部を形成し、後側の脚部の端部に内方に突出する突部を形成したバネと、先端部内側に受部を形成し、かつ、後部に下方に突出する足部を形成し、この足部の後側に凹部を形成するとともに、足部の前側に前記凹部より下方に位置して前方に突出した山部を形成し、更に、足部の前後に開口窓を形成したクリップと、後部に隆起部を形成し、この隆起部の後側に凹部を形成した軸筒からなり、クリップの凹部を軸筒の隆起部に押圧させるとともに、バネの脚部がクリップの開口窓を挿通し、前側の脚部がクリップの山部に押圧され、かつ、後側の脚部に形成した突部が軸筒の隆起部に形成された凹部に係合し、バネの弾力によりクリップの山部が押されることによってクリップの前部が下方に押されて受部が軸筒に押圧されるように構成したことを特徴とする筆記具のクリップ取付装置。
【請求項２】
バネの後方の脚部の端部に形成した突部を、内方に湾曲することにより構成したことを特徴とする請求項１記載の筆記具のクリップ取付装置。
【請求項３】
バネの後方の脚部の端部に形成した突部を、内方に折曲して形成したことを特徴とする請求項１記載の筆記具のクリップ取付装置。
【請求項４】
クリップの山部に突起を形成し、バネの前部の脚部をクリップの山部に押圧するとともに、脚部の端部を前記突起に当接して構成したことを特徴とする請求項１乃至３のいずれか１項記載の筆記具のクリップ取付装置。
【請求項５】
バネの前方の脚部を内方に折曲して突部を形成し、この突部をクリップの山部に形成した段部に係合して構成したことを特徴とする請求項１乃至４のいずれか１項記載の筆記具のクリップ取付装置。
【発明の詳細な説明】
【技術分野】
【０００１】
本発明は、クリップの後部を押すことにより拡開する筆記具のクリップ取付装置に関する。
【背景技術】
【０００２】
従来、軸筒やキャップ等の筒体の表面側に略Ｕ字状挟みバネの一端側を、筒体頂部側に形成された挿入孔に挿込み状に固定し、該挟みバネの他端側を筒体の表面に沿わしめ、クリップの前端部が筒体表面に弾圧接するように構成した筆記具のクリップ取付装置が知られている。（特許文献１参照）
【特許文献１】特開２００１−１４６０９４号公報（段落０００５）
【発明の開示】
【発明が解決しようとする課題】
【０００３】
軸筒に挿入孔を形成する場合には、軸筒を形成する加工が複雑でコスト高になってしまうものであった。また、Ｕ字状挟みバネの一端側を挿入孔に挿込んだ時、隙間があるとクリップがぐらついてしまい、隙間がないと挿込む時の摩擦抵抗が大きく非常に挿込みにくいという課題が生じるものであった。
【課題を解決するための手段】
【０００４】
本発明は、略コ字形に折り曲げて前後に脚部を形成し、後側の脚部の端部に内方に突出する突部を形成したバネと、先端部内側に受部を形成し、かつ、後部に下方に突出する足部を形成し、この足部の後側に凹部を形成するとともに、足部の前側に前記凹部より下方に位置して前方に突出した山部を形成し、更に、足部の前後に開口窓を形成したクリップと、後部に隆起部を形成し、この隆起部の後側に凹部を形成した軸筒からなり、クリップの凹部を軸筒の隆起部に押圧させるとともに、バネの脚部がクリップの開口窓を挿通し、前側の脚部がクリップの山部に押圧され、かつ、後側の脚部に形成した突部が軸筒の隆起部に形成された凹部に係合し、バネの弾力によりクリップの山部が押されることによってクリップの前部が下方に押されて受部が軸筒に押圧されるように構成したことを第１の要旨とする。
【０００５】
また、バネの後方の脚部の端部に形成した突部を、内方に湾曲することにより形成したことを第２の要旨とする。
【０００６】
更に、バネの後方の脚部の端部に形成した突部を、内方に折曲して形成したことを第３の要旨とする。
【０００７】
更にまた、クリップの山部に突起を形成し、バネの前側の脚部をクリップの山部に押圧するとともに、脚部の端部を前記突起に当接して構成したことを第４の要旨とする。
【０００８】
更にまた、バネの前方の脚部を内方に折曲して突部を形成し、この突部をクリップの山部に形成した段部に係合して構成したことを第５の要旨とする。
【発明の効果】
【０００９】
本発明の筆記具のクリップ取付装置は、クリップの足部に形成した凹部を軸筒の隆起部に押し付け、バネの脚部をクリップの開口窓より挿入して、後側の脚部に形成した突部が軸筒の隆起部に形成した凹部に係合するとともに、バネの前側の脚部がクリップの山部に押圧されて取り付けられるので、クリップおよびバネの取付が非常に簡単に行えるとともに、クリップの後部を押圧すればクリップの前端が大きく拡開することができる利点がある。
【発明を実施するための最良の形態】
【００１０】
略コ字形に折り曲げられたバネの脚部を上方よりクリップの開口窓に挿通させることにより、脚部の突部が軸筒の凹部に係合するとともに、前側の脚部がクリップの山部に押圧されて取り付けられるので、クリップ及びバネの取付が非常に簡単に行える筆記具のクリップ取付装置を実現した。
【実施例１】
【００１１】
図１及び図２により本発明の実施例１を説明する。先ず、バネ１は、金属製の板材を略コ字形に折り曲げて前後に脚部１Ａ、１Ｂを形成し、後側の脚部１Ｂの端部を内方に湾曲して突部１Ｃを形成する。
【００１２】
また、クリップ２は、先端部内側に受部２Ａを形成し、後部に下方に突出する足部２Ｂを形成する。この足部２Ｂの後部に曲面状の凹部２Ｃを形成するとともに、足部２Ｂの前側に前記凹部２Ｃより下方に位置して前方に突出した山部２Ｄを形成する。更に、足部２Ｂの前後に開口窓２Ｅ、２Ｆを形成するとともに、クリップ２の中間部より後方は両端より下方に隆起した土手部２Ｇが形成される。
【００１３】
更に、軸筒３は、後部に隆起部３Ａを形成し、この隆起部３Ａの上面３Ｂを断面略半円形の蒲鉾状に形成するとともに、隆起部３Ａの後側に凹部３Ｃを形成する。
【００１４】
次に、クリップ２を軸筒３に取り付けるには、先ず、クリップ２の土手部２Ｇの間に軸筒３の隆起部３Ａを挿入し、クリップ２の足部２Ｂに形成した凹部２Ｃを軸筒３の隆起部３Ａに押し付けた後、バネ１の前側の脚部１Ａをクリップ２の前側の開口窓２Ｅより挿通させるとともに、バネ１の後側の脚部１Ｂをクリップ２の後側の開口窓２Ｆより挿通させる。更に、バネ１の前側の脚部１Ａをクリップ２の足部２Ｂに形成した山部２Ｄに押圧するとともに、バネ１の後側の脚部１Ｂに形成した突部１Ｃを軸筒３の隆起部３Ａに形成した凹部３Ｃに係合する。また、バネ１の内面がクリップ２の足部２Ｂの上面２Ｈに当接してバネ１が取り付けられる。この状態では、軸筒３の隆起部３Ａの上面３Ｂに押圧されたクリップ２の凹部２Ｃを支点とし、クリップ２の凹部２Ｃより下方に位置する山部２Ｄがバネ１の前側の脚部１Ａに押圧されることによりクリップ２の先端が下方に押され、受部２Ａが軸筒３の表面に押し付けられる。
【００１５】
このクリップ２で服のポケット等に差して携帯する場合には、先ず、クリップ２の後端部２Ｉを押圧すると、クリップ２の凹部２Ｃが軸筒３の隆起部３Ａの上面３Ｂを回動してクリップ２の先端が拡開し図３の状態となる。この状態で筆記具を服のポケットに挿入し、クリップ２をポケットに掛ける。次に、クリップ２の後端部２Ｉを押圧している力を解除すれば、バネ１の弾力によりクリップ２の先端が閉じることにより受部２Ａが服のポケットを挟持する。
【００１６】
上記した実施例１の筆記具のクリップ２は、クリップ２の先端が広く拡開できるので、服地が厚くても挟持することができるとともに、ノート等の比較的厚いものでも挟持することができる。また、クリップ２の土手部２Ｇにより軸筒３の隆起部３Ａをガイドするので、クリップ２がぐらつく恐れがない。
【実施例２】
【００１７】
図４により本発明の実施例２を説明する。尚、図１と同一の部品は同一の符号を付してその説明を省略する。先ず、クリップ１２は、先端部内側に受部１２Ａを形成し、後部に下方に突出する足部１２Ｂを形成する。この足部１２Ｂの後側に曲面状の凹部１２Ｃを形成するとともに、足部１２Ｂの前側に前記凹部１２Ｃより下方に位置して前方に突出した山部１２Ｄを形成する。この山部１２Ｄには更に突起１２Ｊが形成される。更に、足部１２Ｂの前後に開口窓１２Ｅ、１２Ｆを形成するとともに、クリップ１２の中間部より後方は両端より下方に隆起した土手部１２Ｇが形成される。
【００１８】
次に、クリップ１２を軸筒３に取り付けるには、先ず、クリップ１２の土手部１２Ｇの間に軸筒３の隆起部３Ａを挿入し、クリップ１２の足部１２Ｂに形成した凹部１２Ｃを軸筒３の隆起部３Ａに押し付けた後、バネ１の前側の脚部１Ａをクリップ１２の前側の開口窓１２Ｅより挿通させるとともに、バネ１の後側の脚部１Ｂをクリップ１２の後側の開口窓１２Ｆより挿通させる。更に、バネ１の前側の脚部１Ａをクリップ１２の足部１２Ｂに形成した山部１２Ｄに押圧するとともに、脚部１Ａの先端がクリップ１２の突起１２Ｊに当接される。また、バネ１の後側の脚部１Ｂに形成した突部１Ｃを軸筒３の隆起部３Ａに形成した凹部３Ｃに係合する。
【実施例３】
【００１９】
図５により本発明の実施例３を説明する。先ず、バネ１１は、金属製の板材を略コ字形に折り曲げて前後に脚部１１Ａ、１１Ｂを形成し、前側の脚部１１Ａの端部を内方に折り曲げて突部１１Ｄを形成するとともに、後側の脚部１１Ｂの端部を内方に折り曲げて突部１１Ｃを形成する。
【００２０】
また、クリップ２２は、先端部内側に受部２２Ａを形成し、後部に下方に突出する足部２２Ｂを形成する。この足部２２Ｂの後側に曲面状の凹部２２Ｃを形成するとともに、足部２２Ｂの前側に前記凹部２２Ｃより下方に位置して前方に突出した山部２２Ｄを形成する。また、この山部２２Ｄの下方には段部２２Ｋを形成する。更に、足部２２Ｂの前後に開口窓２２Ｅ、２２Ｆを形成するとともに、クリップ２２の中間部より後方は両端より下方に隆起した土手部２２Ｇが形成される。
【００２１】
更に、軸筒１３は、後部に隆起部１３Ａを形成し、この隆起部１３Ａの上面１３Ｂを断面略半円形の蒲鉾状に形成するとともに、隆起部１３Ａの後側に凹部１３Ｃを形成する。
【００２２】
次に、クリップ２２を軸筒１３に取り付けるには、先ず、クリップ２２の土手部２２Ｇの間に軸筒１３の隆起部１３Ａを挿入し、クリップ２２の足部２２Ｂに形成した凹部２２Ｃを軸筒１３の隆起部１３Ａに押し付けた後、バネ１１の前側の脚部１１Ａをクリップ２２の足部２２Ｂに形成した山部２２Ｄに押圧するとともに、突部１１Ｄをクリップ２２の段部２２Ｋに係合する。また、バネ１１の後側の脚部１１Ｂに形成した突部１１Ｃを軸筒１３の隆起部１３Ａに形成した凹部１３Ｃに係合する。また、バネ１１の内面がクリップ２２の足部２２Ｂの上面２２Ｈに当接してバネ１１が取り付けられる。
【００２３】
上記した実施例３の筆記具のクリップは、バネ１１の突部１１Ｄがクリップ２２の段部２２Ｋに係合し、突部１１Ｃが軸筒１３の凹部１３Ｃに係合しているので、バネ１１が外れる恐れがなく確実に取り付けられる。
【産業上の利用可能性】
【００２４】
後部を押すことにより拡開するクリップが簡単に取り付けられる筆記具のクリップ取付装置に適用できる。
【図面の簡単な説明】
【００２５】
【図１】本発明の実施例１の筆記具のクリップ取付装置を示す主要部部分断面図である。（実施例１）
【図２】図１のＡ−Ａ線を示す拡大断面図である。（実施例１）
【図３】本発明の実施例１のクリップが拡開した状態を示す主要部部分断面図である。（実施例１）
【図４】本発明の実施例２の筆記具のクリップ取付装置を示す主要部部分断面図である。（実施例２）
【図５】本発明の実施例３の筆記具のクリップ取付装置を示す主要部部分断面図である。（実施例３）
【符号の説明】
【００２６】
１  バネ
１Ａ  バネ１の脚部
１Ｂ  バネ１の脚部
１Ｃ  バネ１の突部
２  クリップ
２Ａ  クリップ２の受部
２Ｂ  クリップ２の足部
２Ｃ  クリップ２の凹部
２Ｄ  クリップ２の山部
２Ｅ  クリップ２の開口窓
２Ｆ  クリップ２の開口窓
３  軸筒
３Ａ  軸筒３の隆起部
３Ｃ  軸筒３の凹部
１１  バネ
１１Ａ  バネ１１の脚部
１１Ｂ  バネ１１の脚部
１１Ｃ  バネ１１の突部
１１Ｄ  バネ１１の突部
１２  クリップ
１２Ａ  クリップ１２の受部
１２Ｂ  クリップ１２の足部
１２Ｃ  クリップ１２の凹部
１２Ｄ  クリップ１２の山部
１２Ｅ  クリップ１２の開口窓
１２Ｆ  クリップ１２の開口窓
１２Ｊ  クリップ１２の突起
１３  軸筒
１３Ａ  軸筒１３の隆起部
１３Ｃ  軸筒１３の凹部
２２  クリップ
２２Ａ  クリップ２２の受部
２２Ｂ  クリップ２２の足部
２２Ｃ  クリップ２２の凹部
２２Ｄ  クリップ２２の山部
２２Ｅ  クリップ２２の開口窓
２２Ｆ  クリップ２２の開口窓
２２Ｋ  クリップ２２の段部
【図１】
2006224572.tif 000003
【図２】
2006224572.tif 000004
【図３】
2006224572.tif 000005
【図４】
2006224572.tif 000006
【図５】
2006224572.tif 000007